(57)【要約】      （修正有）【課題】ガスの流量変化のスピードはきわめて緩やかなガス消費機器であっても、ガス消費機器が正常に機能しているにもかかわらずガス供給遮断が生じるのを回避できるようにした電子式ガスメータを得る。【解決手段】電子式ガスメータ１０は、一定時間間隔の計量ポイントにおいてガスの流量を演算する流量演算部２１と、流量演算部２１によって計測される流量を複数の計測ポイント分だけ記憶する流量記憶部１４と、最新の計測ポイントＰｐでの流量ＱＩｐとその直前の計測ポイントより以前に一定時間Ｍだけ遡った計測ポイントである基準計測ポイントＰｓでの流量ＱＩｓとの差分値Ｒｐを取り、その差分値Ｒｐを所定のしきい値Ｒｚと比較する比較部２３と、比較部２３による比較結果に基づき前記ガスの流量変化の有無を判定する流量変化判定部２５と、を少なくとも備える。【選択図】図２
2008032417.tif 000002
【特許請求の範囲】
【請求項１】
一定時間間隔の計量ポイントにおいてガスの流量を演算する流量演算部と、
前記流量演算部によって計測される流量を複数の計測ポイント分だけ記憶する流量記憶部と、
最新の計測ポイントでの流量とその直前の計測ポイントより以前に一定時間だけ遡った計測ポイントである基準計測ポイントでの流量との差分を取り、その差分値を所定のしきい値と比較する比較部と、
前記比較部による比較結果に基づき前記ガスの流量変化の有無を判定する流量変化判定部と、
を少なくとも含むことを特徴とする電子式ガスメータ。
【請求項２】
請求項１に記載の電子式ガスメータであって、前記基準計測ポイントは、当該電子式ガスメータの下流に取り付けるガス消費機器の最も単位時間当たりの流量変化量が小さい運転状態において前記所定のしきい値以上の流量変化を生じさせる時間を基準として設定されていることを特徴とする電子式ガスメータ。
【請求項３】
請求項１または２に記載の電子式ガスメータであって、ガス流量に対応する安全継続使用時間を設定する継続使用時間設定部をさらに備え、該継続使用時間設定部は、前記流量変化判定部が流量変化ありと判定したときに当該最新の計測ポイントでのガス流量に対応した安全継続使用時間を再設定すると共にタイマをリセットすることを特徴とする電子式ガスメータ。
【請求項４】
請求項３に記載の電子式ガスメータであって、前記比較部は設定されている安全継続使用時間の始点を基準計測ポイントとしてまた終点または直前の計測ポイントを最新の計測ポイントとして選択するように設定されていることを特徴とする電子式ガスメータ。
【請求項５】
前記ガス流量演算部は、ｎ個の連続する計測時でのｎ（ｎは整数）回平均を計算するｎ回平均流量計算部を備え、各計測ポイントでの流量はｎ回平均流量であることを特徴とする請求項１ないし４のいずれかに記載の電子式ガスメータ。
【発明の詳細な説明】
【技術分野】
【０００１】
本発明は電子式ガスメータに関し、特に、ガス流量の変化が予め定めたしきい値を超えない状態が一定時間継続したときに、安全確保の観点からガスの供給を遮断する機能を少なくとも備える電子式ガスメータに関する。
【背景技術】
【０００２】
流路を流れるガスの流量が所定時間にわたって継続してほぼ一定であったときに、ガス漏洩等の異常が発生したものと判断してガス流路を遮断する安全機能を備えた電子式ガスメータが知られている。より具体的には、この種の電子式ガスメータは、ガス消費量区分（流量）と安全継続使用時間（遮断時間）との対応を示す対応テーブルを備え、安全継続使用のための制限時間を、ガス消費量が少ない領域では長く、多い領域では短く設定して、安全性を確保している。現在のガス流量（ガス消費量）に対応して設定された安全継続使用のための制限時間内に、予め定めたしきい値（例えば、５１．８２Ｌ／ｈ）を超えてガスの流量変化が起こったときに、制御部は使用者側が意識的にガス消費機器の使用条件を変更したものと判断し、タイマをリセットして安全継続使用時間（遮断時間）を０から再スタートさせることにより、ガス消費機器が正常に機能しているにもかかわらずガスの供給が遮断されるのを防止している。
【０００３】
対象となるガス消費機器が、ガスストーブ、ガス湯沸かし器、風呂釜のような場合には、使用者が意図的に行う燃焼条件変更等により、機器の使用中に大きなガス流量の変化が起こることから、ある程度の時間内にしきい値を超えたガス流量変化が生じやすい。そのために、前記した安全機構は適正に機能し、ガス消費機器を長時間にわたって適正に使用しているときに、ガス漏れ等の異常が発生していないにもかかわらず、ガスメータ側が安全継続使用時間（遮断時間）を超えたと判断してガス流路を遮断してしまうような不都合は生じない。
【０００４】
ところで、近年、温水循環式の床暖房システムでの熱源機、ガスファンヒータ、あるいは燃料電池のようなガス消費機器が多用されており、この種のガス消費機器は比例制御型ガス消費機器であることもあって、正常な運転を継続中であっても、そこで生じるガスの流量変化のスピードはきわめて緩やかなものが多い。この場合、従来の電子式ガスメータをそのまま用いると、予め定めたしきい値を超えてガスの流量変化が起こったことを認識できずに、ガス消費機器が正常に機能しているにもかかわらず、予め定められた安全継続使用のための制限時間が経過したときに、ガス漏れ発生等の異常が生じたと判断してガス流路を遮断してしまうことが起こり得る。
【０００５】
その不都合を解消するために、特許文献１あるいは特許文献２には、電子式ガスメータの下流側に配置されるガス消費機器側に、予め設定した時間にわたって継続してガス燃焼量が一定変動範囲を超えて変化しなかったことを検知したときに、ガス燃焼部におけるガス燃焼量を強制的に変化させるガス燃焼量強制変化手段を備えるようにした技術が開示されている。この手段をガス消費機器が備えることにより、電子式ガスメータの制御部は、現在のガス流量（ガス消費量）に対応した所定の制限時間内に、予め定めたしきい値を超えてガスの流量変化が起こったことを認識することとなり、ガス消費機器が正常に機能しているにもかかわらずガスの供給が遮断されるのを防止できる。
【０００６】
一方、電子式ガスメータにおいて、合計流量オーバーおよび個別最大流量オーバーを検知する等の目的から、メータ内を流れる瞬時のガス流量変化の有無を判定するための技術が、特許文献３あるいは特許文献４等に記載されている。そこにおいて、一定時間間隔毎に流量計測部にて計測される流量を記憶しておき、そこから最新のｎ（ｎは整数）回平均を計算するとともに、該最新のｎ回平均流量と直前（ｎ−１回）での流量との差、または最新のｎ回平均流量とｎ回前のｎ回平均流量との差を、所定のしきい値と比較して、比較結果に基づき、ガスの流量変化の有無を判定するようにしている。
【０００７】
【特許文献１】特許第３５３２７５７号公報
【特許文献２】特開２００４−２５８７６７号公報
【特許文献３】特開平８−３２７４１５号公報
【特許文献４】特開２００５−２４１４０５号公報
【発明の開示】
【発明が解決しようとする課題】
【０００８】
特許文献１あるいは特許文献２に記載の技術を採用することにより、ガスファンヒータや燃料電池のようにガス消費流量の変化のスピードが緩やかなガス消費機器において、正常に機器が機能しているにもかかわらずガスの供給が途中で遮断されてしまうのを確実に阻止することができる。しかし、特許文献１あるいは特許文献２に記載の技術は、いずれもガス消費機器側にガス燃焼量を強制的に変化させる手段を設けるようにしており、ガス消費機器側に本来必要でない機器的負担を課しているといえる。
【０００９】
本発明は、上記の事情に鑑みてなされたものであり、ガス消費機器側に特別の機器的負担を課すことなく、前記したガス消費機器が正常に機能しているにもかかわらずガス供給遮断が生じるのを回避できるようにした電子式ガスメータを提供することを目的とする。
【課題を解決するための手段】
【００１０】
本発明による電子式ガスメータは、一定時間間隔の計量ポイントにおいてガスの流量を演算する流量演算部と、前記流量演算部によって計測される流量を複数の計測ポイント分だけ記憶する流量記憶部と、最新の計測ポイントでの流量とその直前の計測ポイントより以前に一定時間だけ遡った計測ポイントである基準計測ポイントでの流量との差分を取りその差分値を所定のしきい値と比較する比較部と、前記比較部による比較結果に基づき前記ガスの流量変化の有無を判定する流量変化判定部と、を少なくとも含むことを特徴とする。
【００１１】
本発明による電子式ガスメータでは、最新の計測ポイントでの流量をその直前の計測ポイントと比較するのではなく、直前の計測ポイントより以前に一定時間だけ遡った計測ポイントを基準計測ポイントとし、その流量と最新の計測ポイントでの流量との差分を取って、その差分値を所定のしきい値と比較する。そのために、ガス消費機器の運転特性から正常運転時での単位時間当たりのガス消費流量の変化スピードが緩やかであり、近接する計測ポイント間での流量変化、すなわち、最新の計測ポイントでの流量と直前の計測ポイントでの流量との間に所定のしきい値（例えば、５１．８２Ｌ／ｈ）を超える流量変化が起こらない場合であっても、流量変化判定部は、所定の計測測定時間内（最新の計測ポイントと、それより以前に一定時間だけ遡った時間内）にしきい値を超えた流量変化が生じたことを確実に検知して、流量変化ありと判定することができる。
【００１２】
流量変化判定部が流量変化ありと判定したときは、例えば当初設定した安全継続使用時間を経過してもガスの供給を遮断しないようにする等の手段を講じることにより、ガス消費機器が正常に機能しているにもかかわらずガスの供給が遮断されるというような不都合が生じるのを回避することができる。
【００１３】
前記基準計測ポイントを最新の計測ポイントからどれだけの時間だけ遡った箇所とするかは、基本的に、電子式ガスメータの下流に配置するガス消費機器のガス消費特性に依存する。好ましくは、基準計測ポイントを、当該電子式ガスメータの下流に配置するガス消費機器の最も単位時間当たりの流量変化量が小さい運転状態において、前記所定のしきい値以上の流量変化を生じさせる時間を基準として設定する。電子式ガスメータの下流に複数個のガス消費機器を配置する場合には、複数個のガス消費機器の流量制御方法のなかでも、最もゆっくりとガス流量を変化させる機器を選択し、その機器の最も単位時間当たりの流量変化量が小さい運転状態において前記所定のしきい値以上の流量変化を生じさせる時間を基準として設定する。いずれの場合も、前記所定のしきい値以上の流量変化を生じさせる時間は、当該ガス消費機器の設計値から算出してもよく、実際に運転してその測定値によってもよい。
【００１４】
本発明による電子式ガスメータの好ましい態様では、電子式ガスメータは、ガス流量に対応する安全継続使用時間を設定する継続使用時間設定部をさらに備え、該継続使用時間設定部は、前記流量変化判定部が流量変化ありと判定したときに当該最新の計測ポイントでのガス流量に対応した安全継続使用時間を再設定すると共にタイマをリセットすることを特徴とする。
【００１５】
上記の電子式ガスメータでは、制御部が流量変化ありと判断したときに、そのときの計測ポイントでの流量に応じた安全継続使用時間が再設定され、かつ判断の時点から新たな時間計測が始まるので、当該ガス消費機器の実際の運転状況に応じた安全継続使用時間を確実に確保することができる。
【００１６】
電子式ガスメータの下流側に、最新の計測ポイントとその直前の計測ポイントより以前の予め設定した一定時間だけ遡った計測ポイントとの間で、所定のしきい値を超えた流量差が生じないような非常にゆっくりとした単位時間当たりの流量変化を伴うガス消費機器を接続した場合に、流量変化判定部は、設定されている安全継続使用時間の間、繰り返して流量変化なしの判定を行うこととなり、ガス消費機器は正常に機能しているにもかかわらず、安全継続使用時間の終了時にガス遮断が起こり得る。
【００１７】
それに対処するための本発明による電子式ガスメータの他の態様では、前記比較部は設定されている安全継続使用時間の始点を基準計測ポイントとして選択し、また終点または直前の計測ポイントを最新の計測ポイントとして選択するように設定されていることを特徴とする。
【００１８】
上記の電子式ガスメータでは、設定されている継続使用時間の開始時と終了時という長い時間間隔での流量差分値をしきい値と比較することができるので、使用者が意図しないのに、ガス遮断が生じてしまうのを一層確実に回避することができる。
【００１９】
本発明による電子式ガスメータの好ましい態様において、ガス流量演算部は、ｎ個の連続する計測時でのｎ（ｎは整数）回平均を計算するｎ回平均流量計算部を備え、各計測ポイントでの流量は該ｎ回平均流量計算部が算出するｎ回平均流量とされる。もちろん、計測ポイントで計測するガス流量が瞬時流量であっても所期の目的は達成できるが、前記した特許文献３あるいは特許文献４に記載されるようなｎ回平均流量を各計測ポイントでの流量として採用することで、一時的な急激な流量変化による影響を排除することができる。なお、ｎ回平均流量に変えて、ｎ回積算流量を用いることもできる。
【発明の効果】
【００２０】
本発明による電子式ガスメータを用いることにより、ガス消費機器側に格別の機器的負担を持たせることなく、当該ガス消費機器が正常に機能しているにもかかわらずガス供給が遮断してしまう事態が起こるのを確実に回避することができる。
【発明を実施するための最良の形態】
【００２１】
以下、本発明の実施の形態について図面を参照して詳細に説明する。図１は本発明による電子式ガスメータを示すブロック図、図２はその制御部を示すブロック図、図３はあるガス消費機器が正常に機能しているときの、ガス流量（ガス消費量）（Ｌ／ｈ）変化と時間（秒）との関係を示すグラフ、図４は本発明による電子式ガスメータの処理手順の第１の態様を説明するためのフロー図、図５と図６は本発明による電子式ガスメータの処理手順の第２の態様を説明するためのフロー図である。
【００２２】
電子式ガスメータ１０は、図１のブロック図に示すように、金属製の筐体１の内部に、配管Ｈ中を流れるガスＧの流速を計測するために利用される流速センサ１１と、ガスＧの圧力を検出する圧力センサ１２と、時間を計測するために利用されるクロック１３と、各種情報を記憶するメモリ１４と、メータ全体に電力を供給するリチウムバッテリ１５と、メータ全体を制御する制御部１６と、ガスメータ１０よりも下流側へのガスＧの供給状態を切り替える遮断弁１７とを備えている。このガスメータ１０の筐体１には、各種情報を表示する表示パネル１８が取り付けられている。
【００２３】
流速センサ１１は、例えば従来知られた超音波を利用してガスＧの流速を計測する超音波流速センサ（特開２００４−２１２２８８号公報等が参照される）であり、計測値を制御部１６に対して計測信号Ｓ１として出力する。圧力センサ１２は、例えば従来知られた圧力に応じて生じた歪みに対応した電圧を発生させる圧電膜センサであり、配管Ｈ中を流れるガスＧの圧力を検出して制御部１６に対して圧力信号を出力する。クロック１３は水晶発振子を含んで構成されており、この水晶発振子の動作特性を利用して制御部１６に対してクロック信号Ｓ２を出力する。
【００２４】
メモリ（記憶部）１４は、制御部１６が必要とする諸データを記憶するものであり、例えばＲＡＭなどにより構成されている。具体的には、制御部１６により演算されたガスＧの瞬時流量ＱＭ、一定時間間隔毎の複数の計量ポイントにおけるｎ回平均流量ＱＩ、必要な場合にはｎ回積算流量ＱＰなどを記憶する。さらに、流量変化ありと判定する基礎数値となるしきい値Ｒｚ、ガス流量区分（流量）Ｕと安全継続使用時間（遮断時間）Ｔとの対応テーブルＴａも記憶する。
【００２５】
制御部１６は、例えば、ＣＰＵなどにより構成されており、本発明でいう「流量演算部」、「比較部」、「流量変化判定部」、「継続使用時間設定部」等に相当する機能を実行する。以下に、それぞれについて、図２も参照して説明する。
【００２６】
（１）流量演算機能（流量演算部２１）
流量演算部２１は、クロック１３から出力されるクロック信号Ｓ２に基づいて時間を計測しながら、流速センサ１１から出力された計測信号Ｓ１に基づいて所定の計測時間間隔ｓごとにガスＧの流速Ｖを演算し、ガスＧの流速Ｖに配管Ｈの断面積Ａを乗じることにより、ガスＧの瞬時流量ＱＭを演算する。また、ｎ回平均流量計算部２２は、瞬時流量ＱＭの連続するｎ回分から、各計測ポイントＰｉでのｎ回平均流量ＱＩｉおよび必要な場合にはｎ回積算流量ＱＰを演算する。演算結果はメモリ１４に送られる。
【００２７】
（２）比較機能（比較部２３）
メモリ１４に記憶された最新の計測ポイントＰｐにおけるｎ回平均流量ＱＩｐと、予め定められた時間Ｍ（Ｍ＞ｓ×ｎ）だけ遡った計測ポイント（基準計測ポイント）Ｐｓにおけるｎ回平均流量ＱＩｓとをメモリ１４から読み出して差分を演算するとともに、得られた差分値Ｒｐの絶対値を予め定めたしきい値Ｒｚ（例えば、５１．８２Ｌ／ｈ）と比較する。比較結果は流量変化判定部２４に送られる。なお、差分値Ｒｐを演算するのに、ｎ回平均流量ＱＩに代えてｎ回積算流量ＱＰを採用してもよい。その場合には、それに応じたしきい値Ｒｚの値をメモリ１４に記憶する。
【００２８】
（３）流量変化判定機能（流量変化判定部２４）
比較部２３による比較結果に基づきガスの流量変化の有無を判定する機能であり、得られた差分値Ｒｐの絶対値が予め定めたしきい値Ｒｚよりも大きいか等しい場合には、流量変化ありと判断し、予め定めたしきい値Ｒｚより小さい場合には、流量変化なしと判断する。判断結果は継続使用時間設定部２５に送られる。
【００２９】
（４）継続使用時間設定機能（継続使用時間設定部２５）
メモリ１４に記憶したガス流量区分（流量）Ｕと安全継続使用時間（遮断時間）Ｔとの対応テーブルＴａから現在のガス流量Ｕｐに対応する安全継続使用時間Ｔを取り込んで、安全継続使用時間Ｔとして設定するともに、該安全継続使用時間Ｔが経過した時点で遮断弁１７に遮断信号Ｓ３を出力する。流量変化判定部２４が流量変化ありと判断した場合には、判断時の計測ポイントＰｐにおけるｎ回平均流量ＱＩｐに対応する安全継続使用時間Ｔｐを対応テーブルＴａから読み出し、新たな継続使用時間Ｔｐとして再設定する。同時にタイマを０にリセットとし、新たな継続使用時間Ｔｐが経過した時点で、遮断弁１７に遮断信号Ｓ３を出力する。
【００３０】
次ぎに、図３と図４を参照しながら本発明による電子式ガスメータの処理手順の第１の態様をより具体的に説明する。なお、この態様では、上記した「継続使用時間設定機能」を使用していない。また、図３のグラフは、あるガス消費機器が正常に機能しているときの、ガス流量（ガス消費量）（Ｌ／ｈ）変化と時間（秒）との関係を示しており、以下の例では、前記したしきい値Ｒｚを５１．８２Ｌ／ｈと仮定する。
【００３１】
Ｓ１０１において、流量演算部２１は一定間隔ｓの計測時毎（この例では５秒毎）に瞬時流量ＱＭを演算し、記憶部１４はそれを順次記憶する（Ｓ１０２）。流量演算部２１は最新のｎ個（例えば５個）の瞬時流量ＱＭを記憶部１４から読み出して、そのｎ回平均流量ＱＩを計測ポイントＰでの流量として演算する（Ｓ１０３）。流量演算部２１はｎ回平均流量ＱＩを一定時間間隔Ｓ（ｓ×ｎ＝５秒×５回＝２５秒）毎に連続して演算し、複数の計測ポイントＰｉ（ｉ＝１〜ｋ）について記憶部１４は順次記憶する（Ｓ１０４）。
【００３２】
比較部２３は、最新の計測ポイントＰｐでの流量ＱＩｐと、最新の計測ポイントＰｐの直前の計測ポイントより以前に一定時間Ｍだけ遡った計測ポイントである基準計測ポイントＰｓでの流量ＱＩｓとを比較して差分値Ｒｐを演算する（Ｓ１０５）。さらに差分値Ｒｐの絶対値としきい値Ｒｚとを比較する（Ｓ１０６）。比較結果が流量変化判定部２４に送られる。
【００３３】
比較結果が、Ｒｐ＜Ｒｚの場合には、流量変化判定部２４は、流量変化なしと判断し（Ｓ１０７）、流量演算部２１は計測時間にｎ回平均流量ＱＩの演算を継続して行う（Ｓ１０８）。比較結果が、Ｒｐ≧Ｒｚの場合には、流量変化判定部２４は流量変化ありと判断する（Ｓ１０９）。
【００３４】
具体例を図３を参照して説明すれば、例えば前記一定時間Ｍを、前記基準計測ポイントＰｓがＰｐ−６〜Ｐｐ−２のいずれかとなるように設定した場合には、ＱＩｓ−ＱＩｐの値はしきい値Ｒｚ（５１．８２Ｌ／ｈ）よりも小さく、流量変化なしと判定される。一定時間Ｍを、前記基準計測ポイントＰｓがＰｐ−７となるように設定した場合に、初めてＱｓ−ＱＩｐの値はしきい値Ｒｚ（５１．８２Ｌ／ｈ）と等しいかそれを超える値となり、流量変化ありと判定される。従って、本発明による電子式ガスメータ１０を用いることにより、下流側に接続するガス消費機器の運転特性から正常運転時での単位時間当たりのガス消費流量の変化が非常に緩やかなものであっても、確実にその流量変化が予め定めたしきい値を超えたことを検知することができる。
【００３５】
前記したように、実機において一定時間Ｍは、当該電子式ガスメータの下流に配置するガス消費機器の最も単位時間当たりの流量変化量が小さい運転状態において前記所定のしきい値Ｒｚ以上の流量変化を生じさせる時間を基準として設定する。設定は、当該ガス消費機器の設計値から算出してもよく、実際に運転して最適な値を得るようにしてもよい。
【００３６】
図５と図６は本発明による電子式ガスメータの処理手順の第２の態様を説明する。なお、この態様では、上記した「継続使用時間設定機能」を使用している。図５において、Ｓ１０１〜Ｓ１０４までは、図４に示したものと同じである。
【００３７】
Ｓ２００において、継続使用時間設定部２５は、記憶部１４に記憶されたガス流量区分（流量）Ｕと安全継続使用時間（遮断時間）Ｔの対応テーブルＴａから、基準計測ポイントＰｓでの流量ＱＩｓに対応する安全継続使用時間（遮断時間）Ｔを読み出し基準安全継続使用時間Ｔｓとして設定するとともに、タイマを０にリセットする。
【００３８】
次ぎに、図４に示した処理手順と同様にして、比較部２３は、最新の計測ポイントＰｐでの流量ＱＩｐと、最新の計測ポイントＰｐの直前の計測ポイントより以前に一定時間Ｍだけ遡った計測ポイントである基準計測ポイントＰｓでの流量ＱＩｓとを比較して差分値Ｒｐを演算する（Ｓ２０１）。さらに差分値Ｒｐの絶対値としきい値Ｒｚとを比較してする（Ｓ２０２）。比較結果が流量変化判定部２４に送られる。
【００３９】
Ｒｐ＜Ｒｚの場合には、流量変化判定部２４は、流量変化なしと判断し（Ｓ２０３）、流量演算部２１は設定されている安全継続使用時間Ｔｓが経過するまでｎ回平均流量ＱＩの演算を継続して行う（Ｓ２０４）。時間Ｔｓ経過後に継続使用時間設定部２５は遮断弁１７に遮断信号Ｓ３を出力する（Ｓ２０５）。
【００４０】
Ｒｐ≧ｚの場合には、流量変化判定部２４は流量変化ありと判断し（Ｓ２１０）し、それを継続使用時間設定部２５に出力する。継続使用時間設定部２５は、記憶部１４に記憶された対応テーブルＴａから、流量変化ありと判断したときの最新の計測ポイントＰｐに対応する安全継続使用時間Ｔｐを読み出して従前の安全継続使用時間ＴａをＴｐに書き換えると同時に、タイマを０にリセットする（Ｓ２１１）。その後、継続使用時間設定部２５が設定した新たな安全継続使用時間Ｔｐが経過するまで瞬時流量の演算を継続して行う（Ｓ２１２）。時間経過後に継続使用時間設定部２５は遮断弁１７に遮断信号Ｓ３を出力する（Ｓ２１３）。
【００４１】
この処理手順では、制御部１６（継続使用時間設定部２５）が流量変化ありと判断したときに、そのときの計測ポイントでの流量に応じた安全継続使用時間（遮断時間）が再設定され、かつ判断の時点から新たな時間計測が始まるので、当該ガス消費機器の実際の運転状況に応じた安全継続使用時間（遮断時間）を確実に確保することができる。
【００４２】
上記した処理手順において、基準計測ポイントＰｓを設定するための「最新の計測ポイントＰｐの直前の計測ポイントより以前に遡った一定時間Ｍ」の値を、設定されている安全継続使用時間Ｔの時間長さとほぼ一致させるようにしてもよい。具体的には、前記比較部２３を、現在設定されている安全継続使用時間Ｔの始点を基準計測ポイントＰｓとしてまた終点または直前の計測ポイントＰｐを最新の計測ポイントとして選択するように設定するようにする。このように設定することにより、非常にゆっくりとした流量変化を伴うガス消費機器を接続した場合であっても、設定されている安全継続使用時間Ｔの終点において、しきい値を超えた流量変化があることを確実に検知することができ、ガス消費機器は正常に機能しているにもかかわらず、安全継続使用時間の終了時にガス遮断が起こるのを確実に回避することができる。
【図面の簡単な説明】
【００４３】
【図１】電子式ガスメータを示すブロック図。
【図２】制御部を示すブロック図。
【図３】あるガス消費機器が正常に機能しているときの、ガス流量（ガス消費量）（Ｌ／ｈ）変化と時間（秒）との関係を示すグラフ。
【図４】電子式ガスメータの処理手順の第１の態様を説明するためのフロー図。
【図５】電子式ガスメータの処理手順の第２の態様を説明するためのフロー図。
【図６】図５に続くフロー図。
【符号の説明】
【００４４】
１０…電子式ガスメータ、１１…流速センサ、１２…圧力センサ、１３…クロック、１４…記憶部（メモリ）、１６…制御部、１７…遮断弁、２１…流量演算部、２２…ｎ回平均流量計算部、２３…比較部、ｓ…瞬間流量計測時間間隔、ｎ…瞬間流量計測回数、Ｍ…予め定めた一定時間、Ｐｓ…基準計測ポイント、Ｐｐ…最新の計測ポイント、ＱＭ…瞬間流量、ＱＩ…ｎ回平均流量、ＱＲ…ｎ回積算流量、Ｒｚ…流量変化ありと判定する基礎数値となるしきい値、Ｒｐ…差分値、Ｔａ…ガス流量区分と安全継続使用時間（遮断時間）の対応テーブル
【図１】
2008032417.tif 000003
【図２】
2008032417.tif 000004
【図３】
2008032417.tif 000005
【図４】
2008032417.tif 000006
【図５】
2008032417.tif 000007
【図６】
2008032417.tif 000008
【手続補正書】
【提出日】平成18年7月27日(2006.7.27)
【手続補正１】
【補正対象書類名】図面
【補正対象項目名】図５
【補正方法】変更
【補正の内容】
【図５】
2008032417.tif 000009
【手続補正２】
【補正対象書類名】図面
【補正対象項目名】図６
【補正方法】変更
【補正の内容】
【図６】
2008032417.tif 000010